【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
粒子状無細胞組織マトリックス（ＡＴＭ）と、溶媒に溶解したポリマーを含む溶液とを提供するステップと；
前記溶液を前記粒子状ＡＴＭと混合して混合物を作製するステップと；
前記混合物を水性媒体と接触させて、前記溶媒を前記混合物から拡散させ、前記ポリマーと前記ＡＴＭから組織足場を形成するステップと；
を含むことを特徴とする方法。
【請求項２】
請求項１に記載の方法において、前記混合物を水性媒体と接触させるステップが、前記混合物を組織部位内、組織部位上、または組織部位に近接して配置するステップを含むことを特徴とする方法。
【請求項３】
前記混合物を前記組織部位の中、前記組織部位の上、またはこれらの組み合わせに注入するステップをさらに含む、請求項２に記載の方法。
【請求項４】
請求項２または３に記載の方法において、前記組織部位が骨、軟骨組織、または乳房組織を含むことを特徴とする方法。
【請求項５】
請求項１に記載の方法において、前記混合物を水性媒体と接触させるステップが、前記混合物を成形型に入れるステップを含むことを特徴とする方法。
【請求項６】
請求項５に記載の方法において、前記成形型が組織または器官の欠損部の形状であることを特徴とする方法。
【請求項７】
請求項５に記載の方法において、前記成形型がエッペンドルフ管、金属管、または注入管であることを特徴とする方法。
【請求項８】
請求項５〜７のいずれか１項に記載の方法において、前記混合物を水性媒体と接触させるステップが、前記混合物をすすぐこと、洗浄すること、または水性媒体に浸漬することの少なくとも１つを含むことを特徴とする方法。
【請求項９】
請求項１〜８のいずれか１項に記載の方法において、前記溶媒が水混和性であることを特徴とする方法。
【請求項１０】
粒子状無細胞組織マトリックス（ＡＴＭ）と；
ポリマーと；
水混和性溶媒と；
を含む組織足場混合物において、
前記混合物を水性媒体と接触させると、前記水混和性溶媒が前記混合物から拡散することができ、前記混合物が前記ポリマーと前記ＡＴＭから組織足場を形成することを可能にすることを特徴とする、組織足場混合物。
【請求項１１】
粒子状無細胞組織マトリックス（ＡＴＭ）と；
ポリマーと；
水混和性溶媒と；
を含む組織足場混合物において、
前記混合物を動物に移植すると、前記水混和性溶媒が前記混合物から拡散することができ、前記混合物が前記ポリマーと前記ＡＴＭから組織足場を形成することを可能にすることを特徴とする、組織足場混合物。
【請求項１２】
請求項１〜１１のいずれか１項に記載の方法または組織足場混合物において、前記組織足場が安定な三次元形状を有することを特徴とする、方法または組織足場混合物。
【請求項１３】
請求項１〜１２のいずれか１項に記載の方法または組織足場混合物において、前記組織足場は、動物に移植された場合、前記ポリマー単独の場合より免疫反応または炎症反応が少ないことを特徴とする、方法または組織足場混合物。
【請求項１４】
請求項１３に記載の方法または組織足場混合物において、前記免疫反応または炎症反応が、存在する炎症細胞の数により測定されることを特徴とする、方法または組織足場混合物。
【請求項１５】
粒子状無細胞組織マトリックス（ＡＴＭ）と；
ポリマーと；
溶媒と；
を含むことを特徴とするキット。
【請求項１６】
請求項１〜１５のいずれか１項に記載の方法、キット、または組織足場混合物において、前記溶媒が生体適合性であることを特徴とする、方法、キット、または組織足場混合物。
【請求項１７】
請求項１〜１６のいずれか１項に記載の方法、キット、または組織足場混合物において、前記溶媒がジオキサン、Ｎ−メチル−２−ピロリドン、またはジメチルスルホキシドの少なくとも１つ、またはこれらの組み合わせを含むことを特徴とする、方法、キット、または組織足場混合物。
【請求項１８】
請求項１〜１７のいずれか１項に記載の方法、キット、または組織足場混合物において、前記ポリマーがポリカプロラクトンを含むことを特徴とする、方法、キット、または組織足場混合物。
【請求項１９】
請求項１８に記載の方法、キット、または組織足場混合物において、前記ポリカプロラクトンを溶媒に溶解させる場合、それが前記溶媒中に約５〜３０％（ｗ／ｖ）の範囲の量で存在することを特徴とする、方法、キット、または組織足場混合物。
【請求項２０】
請求項１８に記載の方法、キット、または組織足場混合物において、前記ポリカプロラクトンを溶媒に溶解させる場合、それが前記溶媒中に約１０〜２０％（ｗ／ｖ）の範囲の量で存在することを特徴とする、方法、キット、または組織足場混合物。
【請求項２１】
請求項１〜１７のいずれか１項に記載の方法、キット、または組織足場混合物において、前記ポリマーがポリ−４−ヒドロキシブチレートを含むことを特徴とする、方法、キット、または組織足場混合物。
【請求項２２】
請求項２１に記載の方法、キット、または組織足場混合物において、前記ポリ−４−ヒドロキシブチレートを溶媒に溶解させる場合、それが前記溶媒中に約５〜４０％（ｗ／ｖ）の範囲の量で存在することを特徴とする、方法、キット、または組織足場混合物。
【請求項２３】
請求項２１に記載の方法、キット、または組織足場混合物において、前記ポリ−４−ヒドロキシブチレートを溶媒に溶解させる場合、それが前記溶媒中に約１０〜３０％（ｗ／ｖ）の範囲の量で存在することを特徴とする、方法、キット、または組織足場混合物。
【請求項２４】
請求項１〜１７のいずれか１項に記載の方法、キット、または組織足場混合物において、前記ポリマーがヒアルロン酸のベンジルエステル誘導体を含むことを特徴とする、方法、キット、または組織足場混合物。
【請求項２５】
請求項２４に記載の方法、キット、または組織足場混合物において、前記ヒアルロン酸のベンジルエステル誘導体を溶媒に溶解させる場合、それが前記溶媒中に約５〜５０％（ｗ／ｖ）の範囲の量で存在することを特徴とする、方法、キット、または組織足場混合物。
【請求項２６】
請求項２４に記載の方法、キット、または組織足場混合物において、前記ヒアルロン酸のベンジルエステル誘導体を溶媒に溶解させ、それが前記溶媒中に約５〜４０％（ｗ／ｖ）の範囲の量で存在することを特徴とする、方法、キット、または組織足場混合物。
【請求項２７】
請求項１〜２６のいずれか１項に記載の方法、キット、または組織足場混合物において、前記粒子状ＡＴＭが均一なサイズの粒子を含むことを特徴とする方法、キット、または組織足場混合物。
【請求項２８】
請求項１〜２７のいずれか１項に記載の方法、キット、または組織足場混合物において、前記粒子状ＡＴＭが真皮ＡＴＭ、軟骨組織マトリックス、骨組織マトリックス、またはこれらの組み合わせを含むことを特徴とする、方法、キット、または組織足場混合物。
【請求項２９】
請求項２８に記載の方法、キット、または組織足場混合物において、前記真皮ＡＴＭがヒト組織マトリックスまたはブタ組織マトリックスであることを特徴とする、方法、キット、または組織足場混合物。
【請求項３０】
請求項２８に記載の方法、キット、または組織足場混合物において、前記軟骨組織マトリックスがヒト軟骨マトリックスまたはブタ軟骨マトリックスを含むことを特徴とする、方法、キット、または組織足場混合物。
【請求項３１】
請求項２８に記載の方法、キット、または組織足場混合物において、前記骨組織マトリックスがヒト骨またはブタ骨を含むことを特徴とする、方法、キット、または組織足場混合物。
【請求項３２】
請求項１〜３１のいずれか１項に記載の方法、キット、または組織足場混合物において、前記粒子状ＡＴＭが２種類以上の異なる組織からのＡＴＭを含むことを特徴とする、方法、キット、または組織足場混合物。
【請求項３３】
請求項３２に記載の方法、キット、または組織足場混合物において、前記２種類以上の異なる組織が、真皮と軟骨、軟骨と骨、ヒト組織マトリックス、ブタ組織マトリックス、またはヒト組織マトリックスとブタ組織マトリックスを含むことを特徴とする、方法、キット、または組織足場混合物。